(57)【要約】【課題】引下線の仮止め作業を効率的に行うことができ、引下線の仮止め作業時間の短縮を図ることができる引下線仮支持具を提供する。【解決手段】引下線仮支持具１は、架線から取り外した引下線を鉄系金属材料製の上部支持アーム（電線支持物）３に仮止めするために使用される。この引下線仮支持具１は、上部支持アーム３の表面に磁石５ａ〜５ｄで固定される基板部６と、基板部６の３箇所に間隔をあけて並設された第１乃至第３の引下線保持部７〜９と、を有している。そして、引下線保持部７〜９は、弾性変形して引下線の差し込みを可能にし、且つ、引下線の先端側を弾性的に挟持する一対の挟持片２２，２２を有している。また、第１乃至第３の引下線保持部７〜９の少なくとも一つは、間接活線工具２５で把持できるようになっている。【選択図】図１
2018088794.tif 000002
【特許請求の範囲】
【請求項１】
架線から取り外した引下線を鉄系金属材料製の電線支持物に仮止めする引下線仮支持具において、
前記電線支持物の表面に磁石で固定される基板部と、前記基板部の３箇所に間隔をあけて並設された第１乃至第３の引下線保持部と、を有し、
前記引下線保持部は、弾性変形して前記引下線の差し込みを可能にし、且つ、前記引下線の先端側を弾性的に挟持する一対の挟持片を有し、
前記第１乃至第３の引下線保持部の少なくとも一つは、間接活線工具で把持できるようになっている、
ことを特徴とする引下線仮支持具。
【請求項２】
前記第１乃至第３の引下線保持部のうちの中央に位置する引下線保持部を前記第２の引下線保持部とすると、前記第２の引下線保持部は前記基板部に固定され、
前記第２の引下線保持部の両隣りに位置する前記第１の引下線保持部と前記第３の引下線保持部は、前記第２の引下線保持部との間隔を変えることができるように、前記基板部にスライド移動可能に取り付けられた、
ことを特徴とする請求項１に記載の引下線仮支持具。
【請求項３】
前記基板部は、短冊状の縦パネルと、この縦パネルの上端に蝶番で回動できるように取り付けられた短冊状の横パネルと、を有し、
前記電線支持物は、縦壁と、この縦壁の上端から横方向に延びる横壁とを有し、
前記基板部の前記縦パネルは、前記電線支持物の前記縦壁に前記磁石で固定され、
前記基板部の前記横パネルは、前記縦パネルと平行になる位置を越えて回動できるように前記蝶番で前記縦パネルに取り付けられており、前記電線支持物の前記横壁上に乗せることにより、前記電線支持物の前記横壁に前記磁石で固定される、
ことを特徴とする請求項１又は２に記載の引下線仮支持具。
【請求項４】
前記基板部の前記縦パネルを前記電線支持物の前記縦壁に固定する前記磁石は、前記第２の引下線保持部に対応する位置で、且つ、前記第２の引下線保持部が取り付けられた前記縦パネルの表面に対して反対側に位置する裏面の１箇所に部分的に固定され、
前記基板部の前記横パネルを前記電線支持物の前記横壁に固定する前記磁石は、前記基板部の前記横パネルを前記電線支持物の前記横壁上に乗せた場合に前記横壁に対向する前記横パネルの面で、且つ、前記横パネルの長手方向の中央と前記横パネルの長手方向両端部の３箇所に部分的に固定された、
ことを特徴とする請求項３に記載の引下線仮支持具。
【発明の詳細な説明】
【技術分野】
【０００１】
この発明は、架線から取り外した引下線を電線支持物（例えば、上部引下線支持碍子を取り付けた上部支持アーム）に仮止めするために用いられる引下線仮支持具に関する。
【背景技術】
【０００２】
従来から、変圧器の交換を間接活線作業で行う場合、引下線を架線（高圧電線）から取り外し、その引下線をクリップ等で電線支持物（例えば、上部引下線支持碍子用の支持アーム）に仮止めしていた。
【０００３】
図６は、変圧器３２の電柱取付構造を簡略化して示す図である。この図６に示すように、架線（高圧電線）２６Ａ〜２６Ｃは、電柱２７の上端部に固定された腕金４に碍子を介して支持されている。そして、架線２６Ａ〜２６Ｃに接続された引下線２３は、上部支持アーム３（電線支持物）に取り付けた上部引下線支持碍子２で支持された後、下部支持アーム３０に取り付けた下部引下線支持碍子２８で支持され、電柱２７に取り付けられた変圧器３２に高圧カットアウト３１を介して接続されている。
【０００４】
図７は、架線２６Ｃから取り外された引下線２３がクリップ式の引下線仮支持具１００によって上部支持アーム３に仮止めされた状態を簡略化して示す図である。また、図８は、従来のクリップ式の引下線仮支持具１００を示す図である。
【０００５】
従来のクリップ式の引下線仮支持具１００は、上部支持アーム３を把持する仮止め用の第１クリップ１０１と、この第１クリップ１０１と一体の第２クリップ１０２と、第１クリップ１０１に紐１０３によって接続されたキャップ１０４と、を備えている。そして、キャップ１０４には、架線（２６Ｃ）から取り外された引下線２３の先端側が収容されている。この引下線２３の先端側を収容したキャップ１０４は、絶縁性部材によって形成されており、折り曲げられることによって、内部に収容した引下線２３の先端側を絶縁した状態で固定するようになっている。そして、この引下線２３の先端側を絶縁した状態で固定したキャップ１０４は、第２クリップ１０２によって把持され、この第２クリップ１０２及び上部支持アーム３を把持する第１クリップ１０１を介して上部支持アーム３に支持される。このようにして、架線（２６Ｃ）から取り外された引下線２３は、引下線仮支持具１００によって上部支持アーム３に仮止めされる（特許文献１参照）。
【０００６】
引下線２３の仮止め解除作業は、先ず、キャップ１０４を第２クリップ１０２から取り外し、折り曲げられたキャップ１０４を真っ直ぐに伸ばし（元の形状に戻し）、引下線２３の先端側をキャップ１０４内から引き抜くことにより完了する。なお、引下線仮支持具１００は、引下線２３の仮止め解除作業が完了した後、第１クリップ１０１が上部支持アーム３から取り外されることにより、第１クリップ１０１、第２クリップ１０２、紐１０３，及びキャップ１０４が一体として上部支持アーム３から離脱する。
【先行技術文献】
【特許文献】
【０００７】
【特許文献１】特開２００７−２９５７２６号公報
【発明の概要】
【発明が解決しようとする課題】
【０００８】
しかしながら、従来の引下線仮支持具１００を使用した引下線２３の仮止め作業は、架線（２６Ｃ）から取り外した引下線２３の先端側をキャップ１０４内に収容する第１の作業工程と、この引下線２３の先端側を収容したキャップ１０４を折り曲げて引下線２３とキャップ１０４とを固定する第２の作業工程と、このキャップ１０４を第２クリップ１０２で把持する第３の作業工程と、上部支持アーム３を第１クリップ１０１で把持する第４の作業工程とを要していた。しかも、架線（２６Ａ〜２６Ｃ）が３線ある場合には、引下線２３も３線あるため、各引下線２３毎に第１〜第４の作業工程を行う必要があった。したがって、従来の引下線仮支持具１００を使用した引下線２３の仮止め作業は、作業者の作業工数が多く、作業時間が長いという問題を有していた。
【０００９】
そこで、本発明は、引下線の仮止め作業を効率的に行うことができ、引下線の仮止め作業時間の短縮化を図ることができる引下線仮支持具を提供することを目的とする。
【課題を解決するための手段】
【００１０】
本発明は、架線２６Ａ〜２６Ｃから取り外した引下線２３を鉄系金属材料製の電線支持物３に仮止めする引下線仮支持具１に関するものである。この発明において、引下線仮支持具１は、前記電線支持物３の表面に磁石５ａ〜５ｄで固定される基板部６と、前記基板部６の３箇所に間隔をあけて並設された第１乃至第３の引下線保持部７〜９と、を有している。そして、前記引下線保持部７〜９は、弾性変形して前記引下線２３の差し込みを可能にし、且つ、前記引下線２３の先端側を弾性的に挟持する一対の挟持片２２，２２を有している。また、前記第１乃至第３の引下線保持部７〜９の少なくとも一つは、間接活線工具２５で把持できるようになっている。
【発明の効果】
【００１１】
本発明の引下線仮支持具は、電線支持物に磁石で固定される基板部と、この基板部に取り付けられて引下線の先端側を一対の挟持片間に弾性的に挟み込む引下線保持部とを有している。そのため、本発明の引下線仮支持具によれば、基板部を電線支持物に磁石で取り付けた後は、架線から取り外した引下線の先端側を引下線保持部の一対の挟持片間に差し込むだけで、引下線を電線支持物に仮止めでき、引下線の仮止め作業工数を削減でき、引下線の仮止め作業時間を短縮することができる。
【図面の簡単な説明】
【００１２】
【図１】本発明の第１実施形態に係る引下線仮支持具を示す図であり、図１（ａ）が引下線仮支持具を右斜め上方から見た外観斜視図、図１（ｂ）が引下線仮支持具の正面図、図１（ｃ）が引下線仮支持具の側面図である。
【図２】本発明の第１実施形態に係る引下線仮支持具を示す図であり、図１（ｂ）のＡ１−Ａ１線に沿って切断して示す引下線仮支持具の断面図である。
【図３】本実施形態に係る引下線仮支持具の使用例を示す図である。
【図４】図４（ａ）は引下線仮支持具の第１の使用例を示す図であり、図４（ｂ）は引下線仮支持具の第２の使用例を示す図である。
【図５】本発明の第２実施形態に係る引下線仮支持具を示す図であり、図５（ａ）が引下線仮支持具を右斜め上方から見た外観斜視図、図５（ｂ）が引下線仮支持具の正面図、図５（ｃ）が引下線仮支持具の右側面図である。
【図６】変圧器の電柱取付構造を簡略化して示す図である。
【図７】架線から取り外された引下線がクリップ式の引下線仮支持具によって上部支持アームに仮止めされた状態を簡略化して示す図である。
【図８】従来のクリップ式の引下線仮支持具を示す図である。
【発明を実施するための形態】
【００１３】
以下、本発明の実施形態を図面に基づき詳述する。
【００１４】
［第１実施形態］
図１乃至図２は、本発明の第１実施形態に係る引下線仮支持具１を示す図である。また、図３は、本実施形態に係る引下線仮支持具１の使用例を示す図である。なお、図１（ａ）は引下線仮支持具１を右斜め上方から見た外観斜視図であり、図１（ｂ）は引下線仮支持具１の正面図であり、図１（ｃ）は引下線仮支持具１の右側面図である。また、図２は、図１（ｂ）のＡ１−Ａ１線に沿って切断して示す引下線仮支持具１の断面図である。
【００１５】
（引下線仮支持具の構成）
図１乃至図２に示す引下線仮支持具１は、上部引下線支持碍子２を支持する鉄系金属材料製の上部支持アーム（電線支持物）３に取り付けられて使用される（図３参照）。なお、上部支持アーム３は、腕金４と同一の材料で形成され、電柱２７に取り付けられており、断面が矩形形状の中空長尺体である。そして、この上部支持アーム３は、対向して位置する一対の縦壁３ａ，３ｂと、一対の縦壁３ａ，３ｂの一方の上端から横方向へ延びて一対の縦壁３ａ，３ｂの他方の上端に接続された上部の横壁３ｃと、一対の縦壁３ａ，３ｂの一方の下端から横方向へ延びて一対の縦壁３ａ，３ｂの他方の下端に接続された下部の横壁３ｄと、を有している。そして、縦壁３ａ，３ｂと横壁３ｃ，３ｄが直交している。
【００１６】
引下線仮支持具１は、上部支持アーム３の表面に磁石５ａ〜５ｄで固定される基板部６と、基板部６の長手方向に沿った３箇所に間隔をあけて並設された第１乃至第３の引下線保持部７〜９と、を有している。この引下線仮支持具１の基板部６は、短冊状の縦パネル１１と、この縦パネル１１の上端に蝶番１２で回動できるように取り付けられた短冊状の横パネル１３と、を有している。
【００１７】
引下線仮支持具１の縦パネル１１の表面側には、第１乃至第３の引下線保持部７〜９が支持プレート１４を介して取り付けられている。また、縦パネル１１の裏面（表面に対して反対側に位置する面）側の長手方向中央部分（図１のＸ軸に沿った方向の中央部分）の１箇所には、縦パネル１１を上部支持アーム３の縦壁３ａに固定する矩形形状のシート状磁石５ａが接着剤等で固定されている。なお、この縦パネル１１に固定されたシート状磁石５ａは、第２の引下線保持部８に対応する位置に配置されている。
【００１８】
引下線仮支持具１の横パネル１３は、縦パネル１１と平行になる位置を越えて回動できるように、蝶番１２で縦パネル１１に取り付けられている。なお、本実施形態において、引下線仮支持具１の横パネル１３は、上部支持アーム３の横壁３ｃ上に乗せた位置（閉位置）から回動角度（θ）が１３５°になるまで回動して開き、この開位置（θ＝１３５°の位置）が自重で保持されるようになっている。また、引下線仮支持具１の横パネル１３は、上部支持アーム３の横壁３ｃ上に乗せられた際に、シート状の磁石５ｂ〜５ｄで上部支持アーム３に固定されるようになっている。シート状の磁石５ｂ〜５ｄは、横パネル１３を上部支持アーム３の横壁３ｃ上に乗せた場合に横壁３ｃに対向する横パネル１３の面で、且つ、横パネル１３の長手方向（図１のＸ軸に沿った方向）の中央と横パネル１３の長手方向両端部の３箇所に部分的に固定されている。
【００１９】
第１乃至第３の引下線保持部７〜９は、縦パネル１１の長手方向中央に位置する第２の引下線保持部８が支持プレート１４に固定され（又は、支持プレート１４と一体に形成され）、第２の引下線保持部８の両側にそれぞれ間隔をあけて配置された第１の引下線保持部７と第３の引下線保持部９が支持プレート１４にスライド移動可能に取り付けられている。第１の引下線保持部７と第３の引下線保持部９は、共に、支持プレート１４に形成されたガイドレール１５に僅かな隙間で嵌り合うスライド駒１６が固定されており、このスライド駒１６がガイドレール１５に沿って縦パネル１１の長手方向（図１のＸ軸に沿った方向であって、矢印Ｓで示す方向）にスライド移動でき、第２の引下線保持部８との間隔を調整できるようになっている。なお、スライド駒１６は、ガイドレール１５に沿って形成された抜け止め突起１７，１７に凹凸係合することにより、縦パネル１１の表面の法線方法への移動が制限される。また、第１の引下線保持部７のガイドレール１５は、支持プレート１４の長手方向一端側（図１（ａ），（ｂ）の左端側）に開口しており、第１の引下線保持部７のスライド駒１６が内部に収容された後、蓋部材１８が開口端に接着剤又はねじ等で固定されることにより、開口端が塞がれる。また、第３の引下線保持部９のガイドレール１５は、支持プレート１４の長手方向他端側（図１（ａ）及び（ｂ））に開口しており、第３の引下線保持部９のスライド駒１６が内部に収容された後、蓋部材１８が開口端に接着剤又はねじ等で固定されることにより、開口端が塞がれる。これにより、第１及び第３の引下線保持部７，９のスライド駒１６は、ガイドレール１５から抜け出ることがなく、ガイドレール１５に沿って円滑にスライド移動できる。
【００２０】
第１乃至第３の引下線保持部７〜９は、外観形状が略矩形形状になっている。そして、第１及び第３の引下線保持部７，９は、スライド駒１６が固定された本体部分２０と、この本体部分２０と一体の先端部分２１と、を有している。そして、本体部分２０は、支持プレート１４と同様の合成樹脂材料（ポリエチレン等の電気絶縁性に優れた合成樹脂材料）で形成されている。また、先端部分２１は、弾性変形が可能で且つ絶縁性に優れたゴム材料（例えば、エチレン・プロピレンゴム）で形成されている。第２の引下線保持部８は、本体部分２０が支持プレート１４に一体に形成されており、第１及び第３の引下線保持部７，９のようにスライド移動することがない。この第２の引下線保持部８の先端部分２１は、第１及び第３の引下線保持部７，９の先端部分２１と同様に形成されている。
【００２１】
第１乃至第３の引下線保持部７〜９の先端部分２１は、基端側から二股に分岐した一対の挟持片２２，２２を備えている。この一対の挟持片２２，２２は、引下線２３（電線）を差し込み易くするために、一対の挟持片２２，２２の一方と他方が間隔をあけて対向配置され、弾性的に挟持した引下線２３がずれて脱落しにくくなるように、内側に複数の突起２４（図１（ａ）の上下方向に沿って延びる突起２４）が形成されている。
【００２２】
（引下線仮支持具の使用状態）
以上のように構成された引下線仮支持具１は、横パネル１３を開いた状態（図１（ｃ）の二点鎖線で示す開位置）において、第２の引下線保持部８の両側面が間接活線工具（例えば、絶縁ヤットコ）で把持され、縦パネル１１が上部支持アーム３の縦壁３ａに押し付けられることにより、縦パネル１１が上部支持アーム３に磁石５ａの磁力で取り付けられる。この際、縦パネル１１の位置をずらす必要がある場合、第２の引下線保持部８の両側面を間接活線工具２５で把持し、縦パネル１１を磁石５ａの磁力に抗して上部支持アーム３から引き離し、縦パネル１１を上部支持アーム３の所望の位置に移動させることができる。なお、縦パネル１１の磁石５ａは、縦パネル１１を上部支持アーム３に仮止めできる程度の磁力となるように（第２の引下線保持部８を把持した間接活線工具を操作することによって、縦パネル１１を上部支持アーム３から引き離すことができる程度の磁力となるように）、縦パネル１１の長手方向中央に部分的に設置されている。
【００２３】
次に、引下線仮支持具１は、横パネル１３を閉じて、横パネル１３を上部支持アーム３の横壁３ｃ上に乗せると、横パネル１３が３箇所の磁石５ｂ〜５ｄの磁力によって上部支持アーム３の横壁３ｃに固定される。これにより、引下線仮支持具１は、縦パネル１１の磁石５ａ及び横パネル１３の３箇所の磁石５ｂ〜５ｄの磁力によって、上部支持アーム３に確実に固定される。
【００２４】
次に、架線２６Ｃから引下線２３を取り外し、引下線２３の先端側を引下線仮支持具１の引下線保持部９の挟持片２２，２２の間に差し込むと、一対の挟持片２２，２２が弾性変形して引下線２３の先端側を受け入れ、一対の挟持片２２，２２が引下線２３の先端側を弾性的に挟持する。このような作業は、他の２架線２６Ａ，２６Ｂにそれぞれ接続された２本の引下線２３に対して順次実施される。
【００２５】
図４（ａ）は、第１の引下線保持部７を第２の引下線保持部８の近くにスライド移動させて使用する引下線仮支持具１の第１の使用例を示す図である。この図４（ａ）に示すように、上部引下線支持碍子２の位置が第１の架線２６Ａから遠く離れて位置している場合、第１の架線２６Ａと上部引下線支持碍子２とに接続された引下線２３の長さが他の引下線２３，２３と比較して長くなり、第１の架線２６Ａから取り外された引下線２３が電柱２７に接触し易くなるため、第１の引下線保持部７を第２の引下線保持部８の近くにスライド移動させることにより、第１の引下線保持部７を電柱２７から遠ざけて、第１の引下線保持部７で保持された引下線２３が電柱２７に接触し難くしている。また、引下線仮支持具１は、上部引下線支持碍子２の位置が第１の架線２６Ａから遠く離れて位置する一方、上部引下線支持碍子２の位置が第３の架線２６Ｃの近くに位置し、各架線２６Ａ〜２６Ｃと上部引下線支持碍子２とを接続する各引下線２３の長さが異なる場合に、引下線２３の仮止め作業に都合の良い位置に第１及び第３の引下線保持部７，９をずらすことができ、引下線２３の仮止め作業を確実に行うことができると共に、引下線２３の仮止め作業を容易化することができる。
【００２６】
図４（ｂ）は、第１及び第３の引下線保持部７，９を第２の引下線保持部８から離した位置で使用する引下線仮支持具１の第２の使用例を示す図である。この図４（ｂ）に示すように、上部引下線支持碍子２の位置が第１の架線２６Ａと第３の架線２６Ｃからほぼ等距離に位置する場合、第１の架線２６Ａ及び第３の架線２６Ｃから取り外した引下線２３の長さもほぼ等しくなることから、第１乃至第３の架線２６Ａ〜２６Ｃから取り外した引下線２３の長さが図４（ａ）における第１の架線２６Ａから取り外した引下線２３の長さよりも短く、図４（ａ）における第１の架線２６Ａから取り外した引下線２３よりも電柱２７に接触し難いため、第１の引下線保持部７を第２の引下線保持部８に近づけることなく使用している。なお、このような場合であっても、引下線仮支持具１は、図４（ａ）に示すように、第１の引下線保持部７を第２の引下線保持部８に近づけて使用してもよい。
【００２７】
（本実施形態の効果）
以上のように、本実施形態に係る引下線仮支持具１は、基板部６に並設した第１乃至第３の引下線保持部７〜９の少なくとも一つを間接活線工具２５で把持し、基板部６を上部支持アーム（電線支持物）３に押し付けるだけで、基板部６を上部支持アーム３に磁石５ａ〜５ｄで固定することができるため、上部支持アーム３への取付作業が容易になる。しかも、本実施形態に係る引下線仮支持具１によれば、基板部６を上部支持アーム３に磁石５ａ〜５ｄで取り付けた後は、架線２６Ａ〜２６Ｃから取り外した引下線２３の先端側を引下線保持部７〜９の一対の挟持片２２，２２間に差し込むだけで、引下線２３を上部支持アーム３に仮止めできるため、引下線２３の仮止め作業工数を削減でき、引下線２３の仮止め作業時間を短縮することができる。
【００２８】
また、本実施形態に係る引下線仮支持具１は、上部引下線支持碍子２、各架線２６Ａ〜２６Ｃ、及び電柱２７相互の位置関係に応じ、第２の引下線保持部８に対する第１及び第３の引下線保持部７，９の位置をずらすことができるため、各架線２６Ａ〜２６Ｃから取り外した引下線２３の長さが異なる場合でも、引下線２３の仮止め作業に都合の良い位置に第１及び第３の引下線保持部７，９をずらすことができ、引下線２３の仮止め作業を確実に行うことができるようになると共に、引下線２３の仮止め作業が容易になる。また、本実施形態に係る引下線仮支持具１によれば、第２の引下線保持部８に対する第１及び第３の引下線保持部７，９の位置をずらすことにより、引下線２３と他物（例えば、電柱２７）との接触を防止できる。
【００２９】
また、本実施形態に係る引下線仮支持具１は、基板部６の横パネル１３が自重で開位置に保持されるため、基板部６の縦パネル１１を上部支持アーム３に取り付ける際に、横パネル１３の磁石５ｂ〜５ｄの影響を受けずに、縦パネル１１のみを上部支持アーム３の縦壁３ａの所望の位置に容易に取り付けることができる。
【００３０】
また、本実施形態に係る引下線仮支持具１は、基板部６の横パネル１３が自重で開位置に保持され、基板部６の縦パネル１１を上部支持アーム３の縦壁３ａに固定する磁石５ａが第２の引下線保持部８に対応する位置に部分的に固定され、基板部６の縦パネル１１を上部支持アーム３の縦壁３ａに固定する磁石５ａの磁力が制限されているため、基板部６の縦パネル１１を磁石５ａの磁力に抗して上部支持アーム３の縦壁３ａの所望位置（例えば、引下線２３の仮止め作業に適した位置）にずらすことができる（位置決めすることができる）。しかも、本実施形態に係る引下線仮支持具１は、基板部６の縦パネル１１を上部支持アーム３の縦壁３ａの所望位置に固定した後、基板部６の横パネル１３を開位置から閉位置まで回動させ、基板部６の横パネル１３を上部支持アーム３の横壁３ｃ上に乗せるだけで、横パネル１３がその長手方向の中央と長手方向両端部の３箇所に部分的に設けられた磁石５ｂ〜５ｃで確実に固定されるため、上部支持アーム３の所望位置への取付作業が確実且つ容易に行われる。
【００３１】
［第２実施形態］
図５は、本発明の第２実施形態に係る引下線仮支持具１を示す図である。なお、図５（ａ）は引下線仮支持具１を右斜め上方から見た外観斜視図であり、図５（ｂ）は引下線仮支持具１の正面図であり、図５（ｃ）は引下線仮支持具１の右側面図である。
【００３２】
この図５に示すように、本実施形態に係る引下線仮支持具１は、縦パネル１１と横パネル１３が一体に形成され、横パネル１３が縦パネル１１に対して回動できないようになっている点を除き、他の構成が第１実施形態に係る引下線仮支持具１と同様である。したがって、本実施形態に係る引下線仮支持具１は、第１実施形態に係る引下線仮支持具１と同様の構成部分に関し、第１実施形態に係る引下線仮支持具１と同様の効果を得ることができる。
【００３３】
［その他の実施形態］
本発明の引下線仮支持具１は、上記各実施形態に係る引下線仮支持具１に限定されず、第１乃至第３の引下線保持部７〜９を支持プレート１４に固定してもよい。この場合、第１乃至第３の引下線保持部７〜９は、間接活線工具２５によって挟持できる。
また、本発明の引下線仮支持具１は、下部引下線支持碍子２８が取り付けられた鉄系金属材料製の下部支持アーム３０に取り付けて、上部引下線支持碍子２と下部引下線支持碍子２８とに張り渡された引下線２３の先端を保持するために使用するか、又は、高圧カットアウト３１から取り外した引下線２３の先端を保持するために使用してもよい。
また、本発明の引下線仮支持具１は、上部支持アーム３又は下部支持アーム３０に取り付ける場合に限定されず、他の鉄系金属材料製の電線支持物に広く取り付けることができる。
【符号の説明】
【００３４】
１……引下線仮支持具、３……上部支持アーム（電線支持物）、５ａ〜５ｄ……磁石、６……基板部、７……第１の引下線保持部、８……第２の引下線保持部、９……第３の引下線保持部、２２……挟持片、２３……引下線、２５……間接活線工具、２６Ａ……第１の架線、２６Ｂ……第３の架線、２６Ｃ……第３の架線
【図１】
2018088794.tif 000003
【図２】
2018088794.tif 000004
【図３】
2018088794.tif 000005
【図４】
2018088794.tif 000006
【図５】
2018088794.tif 000007
【図６】
2018088794.tif 000008
【図７】
2018088794.tif 000009
【図８】
2018088794.tif 000010